(57)【特許請求の範囲】
【請求項１】
取付面の両側に設けた側壁の下端部を外側方に折り曲げたのち、その端部を内側に湾曲させて係止部を形成した細長いチャンネル状の器具本体と、
内方に折曲された折曲部にソケット取付用の切欠部を有し、前記器具本体の両端部に対向して取り付けられた一対の端板と、
該端板の切欠部の幅よりも小幅に設定された本体部の先端側にランプ支持部を、基端側に前記切欠部の縁部に係合するフランジをそれぞれ有し、前記切欠部に内側より嵌着されるランプソケットと、
底辺の両側に形成された傾斜辺の上端部を上方に延出したのち内側に湾曲させて係合部を形成し、該係合部を前記器具本体の係止部に係止させて前記器具本体の開口部を覆う反射板とを備え、
前記ランプソケットの本体部における前記フランジ近傍に、前記ランプソケット幅方向に付勢されて突出する係止手段と、前記端板の切欠部の縁部に、前記端板を切り起こして形成されたランプソケットの器具本体長手方向への移動防止用の係止片を設けたことを特徴とする蛍光灯器具。
【請求項２】
端板の切欠部の縁部に、ランプソケットの挿通方向への案内ガイドを設けたことを特徴とする請求項１記載の蛍光灯器具。
【請求項３】
各端板の対向内面に、ランプソケットの挿通方向への案内ガイドを設けたことを特徴とする請求項１または２記載の蛍光灯器具。
【請求項４】
一対の端板の両端外方に、ランプソケットを含む端板の外側を覆う端部カバーを設けたことを特徴とする請求項１乃至３のいずれかに記載の蛍光灯器具。
【発明の詳細な説明】
【０００１】
【産業上の利用分野】
本発明は、建物の天井面などに取り付けられる蛍光灯器具に関するものである。
【０００２】
【従来の技術】
第１４〜１６図は、例えば実開昭５８−１５９１８号公報に示された従来の蛍光灯器具の一例の断面図及びその要部斜視図である。図において、１は天井等に取り付けられる取付面２とその両側に形成された側壁３，３とからなる断面チャンネル状の細長い器具本体で、側壁３，３の下端部は内方にほぼ直角に折り曲げられた後、さらにその先端をほぼ垂直上方に折り曲げられている。この器具本体１の両側壁３，３の長手方向の両端には後述するソケット台５，５を取り付けるための切欠孔４，４が設けられている。
５は上向き略コ字状のソケット台であり、その上端側が器具本体１の両側壁３，３に設けられた切欠孔４，４に係合する立ち上り係止片６，６と、この立ち上り係止片６，６の下端側から斜め上方に折曲形成されたソケット取付面７，７とを有している。そして、立ち上り係止片６，６は切欠孔４，４と器具本体１の幅方向に揺動可能に枢支されている。
【０００３】
ソケット台５のソケット取付面７にはソケット８に設けられた取付溝９，９と係合するソケット係止片１０，１０が設けられたソケット取付孔１１が設けられている。
１２は外側に向かうにしたがって上方に傾斜する反射面１３，１３が形成された富士形の反射板であり、反射面１３，１３の長手方向両端にはソケット遊嵌孔１４，１４が設けられている。そして、反射板１２は、ソケット遊嵌孔１４，１４からソケット８，８を反射面１３，１３に対してほぼ直角に突出させ、反射板固定ねじ（図示せず）によって器具本体１に固着されている。
【０００４】
次に上記のように構成された従来の蛍光灯器具の組立手順の一例について説明する。器具本体１の長手方向両端に設けられた切欠孔４，４にソケット台５，５の立ち上がり係止片６，６を枢支させてソケット台５，５を器具本体１に取り付ける。次に、ソケット台５，５のソケット取付孔１１にソケット８，８を挿通し、ソケット８，８の上部の取付溝９，９をソケット台５の係止片１０，１０に係合させてからソケット８，８を器具本体１の端方向へスライドさせてソケット８，８をソケット台５に装着する。
この状態で器具本体１を天井面に取り付け、反射板１２を器具本体１の下方所定位置に配置して下方から押し上げると、反射板１２の反射面１３に設けられたソケット遊嵌孔１４，１４からソケット８，８が突出し、さらに反射板１２を押し上げると、ソケット台５，５は反射板１２の反射面１３，１３に沿って立ち上り係止片６，６を軸に揺動し、ソケット８，８は図１４に示すように所定の位置に固定される。
そして、反射板１２の上端部が天井面に密着した状態で、反射板１２をねじ等で器具本体１に固定したのち、ソケット８，８に蛍光ランプ（図示なし。）を装着して組立作業を終了する。
【０００５】
【発明が解決しようとする課題】
従来の蛍光灯器具は上記のように構成されているので、ソケット台自体が大きく複雑な構造となり、また、ソケットをソケット台に装着した状態で梱包するとソケットが突出するため包装箱が大きくなり、包装材料費、保管費、輸送費等々の諸費用が高価になる。一方、ソケットをソケット台に装着しない状態で梱包すると蛍光灯器具を天井面へ取り付ける際にソケットの装着に手間がかかるという問題点があった。
また、上記の従来の蛍光灯器具はソケットと反射板端部とは別々に出来ているため、端部方向から見た意匠性が悪いという問題点もあった。
【０００６】
本発明は、上記のような問題点を解決するためになされたものであり、ソケット台を小さく簡単な構造とし、ソケットをソケット台に装着しない状態で梱包してもソケットのソケット台への装着作業が容易である蛍光灯器具を提供することを目的としている。
また、ソケットをソケット台に装着した状態において、端部から見た意匠性に優れた蛍光灯器具を提供することを目的としている。
【０００７】
【課題を解決するための手段】
本発明にかかる蛍光灯器具においては、取付面の両側に設けた側壁の下端部を外側方に折り曲げたのち、その端部を内側に湾曲させて係止部を形成した細長いチャンネル状の器具本体と、内方に折曲された折曲部にソケット取付用の切欠部を有し、前記器具本体の両端部に対向して取り付けられた一対の端板と、該端板の切欠部の幅よりも小幅に設定された本体部の先端側にランプ支持部を、基端側に前記切欠部の縁部に係合するフランジをそれぞれ有し、前記切欠部に内側より嵌着されるランプソケットと、底辺の両側に形成された傾斜辺の上端部を上方に延出したのち内側に湾曲させて係合部を形成し、該係合部を前記器具本体の係止部に係止させて前記器具本体の開口部を覆う反射板とを備え、前記ソケットの本体部における前記フランジ近傍に、前記ランプソケット幅方向に付勢されて突出する係止手段と、前記端板の切欠部の縁部に、前記端板を切り起こして形成されたランプソケットの器具本体長手方向への移動防止用の係止片を設けたものである。
【０００８】
また、端板の切欠部の縁部に、ランプソケットの挿通方向への案内ガイドを設けたものである。
さらに、各端板の対向内面に、ランプソケットの挿通方向への案内ガイドを設けたものである。
また、一対の端板の両端外方に、ランプソケットを含む端板の外側を覆う端部カバーを設けたものである。
【０００９】
【作用】
上記のように構成された蛍光灯器具は、製造時にはランプソケットを器具本体と反射板とで形成される箱体内に、ソケット下部のランプ支持部の先端が反射板の両斜面の反射面の外部へ突出する状態で収納しておく。そして、使用時にはソケット下部の突出部を下方へ引き出すようにする。このとき、ランプソケットの本体部に設けられた係止手段が端板の切欠部の縁部によって幅内方向に押圧され、さらに、ランプソケットを引き下げて前記縁部が係止手段を通り過ぎると、係止手段は元の位置に復元し、ランプソケット基端部に設けられたフランジと共に切欠部の縁部を挟み付けて、ランプソケットは所定の位置に装着される。
【００１０】
端板の切欠部の縁部に設けた係止片は、ランプソケットが器具本体長手方向へ移動するのを防止すると共に、ランプソケットへ蛍光ランプを装着する際などにランプソケットが後方へ倒れるのを防止する作用もある。
【００１１】
端板の切欠部の縁部に設けた案内ガイドは、ランプソケットを引き出し方向に案内し、ランプソケットの引き出し動作をよりスムーズにする。
各端板の対向内面に設けた案内ガイドは、ランプソケットを器具本体内部に収納した状態におけるランプソケットの幅方向移動を防止し、ランプソケット引き出し動作をよりスムーズにする。
一対の端板の両端外方に設けた端部カバーは、端板にランプソケットを装着した状態でランプソケットを含む端板の外側を覆い、蛍光灯器具を端部から見た場合の意匠性を向上する。
【００１２】
【実施例】
実施例１．
図１は本発明の第１の実施例の断面図、図２〜図６は図１に示した第１の実施例の要部の斜視図である。以下、第１の実施例を図１に基づくと共に、図２〜図６を適宜参照しながら説明する。図において、２１は天井面への取付面２２とその両側に形成された側壁２３，２３とからなる断面チャンネル状の細長い器具本体であり（図２参照）、両側壁２３，２３の下端部は外方に向ってほぼ直角に折り曲げられた後、先端を内側に湾曲させて係止部２４，２４を形成している。２２ａ，２２ａ及び２３ａ，２３ａはそれぞれ器具本体２１の取付面２２及び側壁２３，２３に設けられた係止孔である。
【００１３】
２５は器具本体の長手方向の両端開放部を閉塞すると共に、後述するランプソケット３２，３２が取り付けられる端板であり（図３参照）、端板２５は天板２６、下部の幅が狭くなった端面板２７、側板２８，２８及び底板２９とにより構成されており、側板２８，２８の下端部及び底板２９の両端部には、同一平面上に斜めに折り曲げられたランプソケット係止片３０，３０，３１，３１などの縁部が形成されると共に、ランプソケット係止片３０と同３１の間はランプソケット３２，３２を取り付けるための切欠部となっている。
【００１４】
２６ａは端板２５の天板２６に設けられた係止爪であり、係止爪２６ａ，２６ａは図２に示した器具本体２１の係止孔２２ａ，２２ａに係合している。また、２８ａは端板２５の側板２８，２８に設けられた係止爪であり、係止爪２８ａ，２８ａは器具本体２１の係止孔２３ａ，２３ａに係合している。２９ａは底板２９に設けられた係止孔であるが、係止孔２９ａは本実施例では使用せず、後述する実施例５で使用する。
【００１５】
３２は蛍光灯が取り付けられるランプソケットであり（図４〜図６参照）、ランプソケット３２，３２の基端部には幅方向に所定寸法突出したフランジ３３，３３が設けられており、ランプソケット３２，３２の基端部の幅寸法Ａは側面幅Ｂより大きく形成されている（図５参照）。また、フランジ３３，３３の下方所定位置には両側面３４，３４から上方外側へ向って切り起こされ、幅方向に付勢された係止片３５，３５が設けられている。そして、ランプソケット３２，３２はフランジ３３，３３と係止片３５，３５によって、端板２５のランプソケット係止片３０，３０，３１，３１を挟み付けるようにして端板２５に取り付けられている。なお、ランプソケット３２の下端部は蛍光灯（図示せず）を保持するランプ支持部３６となっている。
【００１６】
３７は器具本体２１の下面開放部を覆う細長い断面ほぼ逆台形状の反射板であり、底辺を構成する水平反射面３８から外側上方に向かって傾斜して延出された傾斜反射面３９，３９が形成されており、その両端部は、内側に向かって湾曲して折り曲げられ、係合部４０，４０が形成されている。また、反射板３７の長手方向の全長は、器具本体２１の両端に固着した端板２５，２５にランプソケット３２，３２を装着した場合の両端ランプソケットの内側寸法と略同一に形成されている。
【００１７】
上記のように構成した本実施例の天井への取り付け順序の一例について説明する。先ず、ランプソケット３２，３２の側面３４の任意の位置を端板２５の切欠部に前方開口側から差し入れ、ランプソケット３２，３２の背面が端面板２７に当接した後に、ランプソケット３２，３２を下方へ引き下げる。すると、係止片３５，３５がランプソケット係止片３０，３０，３１，３１によって内側に押圧され、さらに、ランプソケット３２，３２を引き下げてランプソケット係止片３０，３０，３１，３１がランプソケット３２の係止片３５，３５を通り過ぎると同時に、係止片３５，３５は元の位置に復元し、ランプソケット３２，３２の基端部に設けられた突出部３３と係止片３５，３５の先端部とがランプソケット係止片３０，３０，３１，３１を挟持して所定の位置に装着される。
【００１８】
次に、ランプソケット３２，３２が装着された端板２５をその開口部が対向するように器具本体２１の両端部に当接させ、端板２５の係止爪２６ａ，２６ａ，２８ａ，２８ａと器具本体２１に設けられた係合孔２２ａ，２２ａ，２３ａ，２３ａを係合させて固定する。
端板２５を器具本体２１に装着後、反射板３７を器具本体２１の開口部に近づけ、その係合部４０，４０を器具本体２１の係止部２４，２４に当接させて、この状態で反射板３７を押し上げると係合部４０，４０が係止部２４，２４に係合し、反射板３７は器具本体２１にその下面を覆うように装着される。
このとき、反射板３７の全長は端板２５に装着されたランプソケット３２，３２の内側寸法と略同一に形成されているので、ランプソケット３２，３２が端板２５のランプソケット係止片３０，３０，３１，３１に沿って内側に移動して端板２５から脱落することはない。
【００１９】
図７は上記のように構成された蛍光灯器具の梱包時の状態を説明する説明図である。梱包時には、ランプソケット３２，３２の大部分は図７に示す如く、器具本体２１と反射板３７で構成された器具内部に収納した状態にしておく。そして、天井面へ取り付ける際に、器具外部に突出したランプ支持部３６，３６を手指でつまんで下方に引き出すと、上述した作用によりランプソケット３２，３２は図１に示す所定の位置に装着されて使用状態となる。
【００２０】
実施例２．
図８は本発明の第２の実施例の要部の斜視図であり、第１の実施例と同一部分には同一符号を付し、説明を省略する。本実施例では実施例１に示した端板２５のランプソケット係止片３０、３１にランプソケットの器具本体長手方向への移動防止用ストッパーを設けたものであり、その他の構成は実施例１と全く同一である。すなわち、本実施例に係るランプソケット係止片３０、３１には、ランプソケット係止片３０、３１の一部を下方へ切り起こして形成されたストッパー４３、４３、４４、４４を、ランプソケット３２、３２の係止片３５、３５が当接する位置に設けたものである。
【００２１】
上記のように構成した本実施例によれば、ランプソケット３２、３２の係止片３５、３５がストッパー４３、４３、４４、４４に当接し、ランプソケット３２、３２が前方に移動することを防止することができる。また、このようにランプソケット３２、３２の係止片３５、３５を規制する装着方法によれば蛍光灯ランプ（図示せず）をランプソケット３２、３２に装着する際等にランプソケット３２、３２を後方へ押し倒す外力が加えられた場合にランプソケット３２、３２が後方へ倒れるのを防止することができる。
【００２２】
実施例３．
図９は本発明の第３の実施例の要部の斜視図であり、本実施例では実施例１に示した端板２５のランプソケット係止片３０，３０，３１，３１に、ランプソケット係止片３０，３１によって形成される斜面に対して直角下方に延出したランプソケットガイド片４５，４５，４６，４６を設けたものである。
上記のように構成した本実施例によれば、端板２５にランプソケット３２，３２を装着する際に、ランプソケットガイド片４５，４５，４６，４６がランプソケット３２，３２を引き出し方向に案内し、ランプソケットの引き出し動作をよりスムーズに行うことができる。
なお、上記実施例ではランプソケットガイド片４５，４５，４６，４６をランプソケット係止片３０，３１によって形成される斜面に対して直角下方に延出させた例を示したが、図９の破線で示すように、ランプソケット係止片３０，３１によって形成される斜面に対して直角上方に延出させても同様の効果が得られる。
【００２３】
実施例４．
図１０は本発明の第４の実施例の要部の斜視図であり、本実施例では実施例１に示した端板２５の端面板２７の内面に、ランプソケット３２，３２の引き出し動作の際にランプソケット３２，３２を引き出し方向にガイドするガイド部４７，４７，４８，４８を設けたものである。すなわち、本実施例の端面板２７の内面にはランプソケット係止片３０，３１によって形成される斜面に対して直角上方へ延出した２対のガイド部４７，４７，４８，４８が設けられ、ガイド部４７，４８の間隔はランプソケット３２，３２の側面幅Ｂと略同寸法に形成されている。
【００２４】
上記のように構成した本実施例によれば、ランプソケット３２，３２を器具本体２１と反射板３７で構成された器具内部に収納した状態（図７参照）で、ランプソケット３２，３２が横方向に移動しないように位置決めができ、また、使用時にランプソケット３２，３２を外方に引き出す際にはガイド部４７，４７，４８，４８がランプソケット３２，３２を引き出し方向に案内し、ランプソケットの引き出し動作をスムーズにする。
【００２５】
実施例５．
図１１は本発明の第５の実施例の要部の斜視図、図１２は図１１のＸ−Ｘ断面図である。本実施例は実施例１に示した端板２５のランプソケット係止片３０，３１、３０，３１にランプソケット３２，３２を装着した状態で、ランプソケット３２，３２及び端板２５の背面及び周辺を一体的に覆う端部カバー５０を設けたものである。本実施例の端部カバー５０は第１２図に示すように、端部カバー５０の上辺５１に設けられた係止孔５２に、端板２５の天板２６に設けられた係止爪２６ａが嵌合し、端部カバー５０、器具本体２１、端板２５の３部品を一体的に固定している。また、端部カバー５０の下辺５３の内面には係止突部５４が設けられており、この係止突部５４が端板２５の底板２９に設けられた係止孔２９ａに嵌合することにより、端部カバー５０の下部が固定されている。
上記のように構成した本実施例によれば、端部カバー５０がランプソケット３２，３２及び端板２５の背面及び周辺を一体的に覆っているので、端部方向から見た美観に優れた蛍光灯器具となる。
【００２６】
実施例６．
図１３は本発明の第６の実施例の要部の斜視図であり、本実施例では実施例１に示した２灯用の端板２５を１灯用として構成したものである。すなわち、本実施例における端板６０においては、実施例１に示した端板２５の底板２９に代えてランプソケット取り付け用の切欠部を設けると共に、該切欠部の両側にランプソケット係止片６１，６１を設けたものである。
上記のように構成した本実施例によれば、１灯用の蛍光灯器具においても実施例１に示したのと同様の効果を得ることができる。
なお、本実施例の端板６０に実施例２〜５に示した技術を適用することによって、１灯用の蛍光灯器具においても実施例２〜５に示したのと同様の効果を得ることができる。
【００２７】
【発明の効果】
以上説明したように本発明に係る蛍光灯器具は、製造時にはランプソケットを器具本体と反射板とで形成される箱体内に、ランプソケット下部のランプ支持部の先端が反射板の両斜面の反射面の外部へ突出する状態で収納しておき、使用時にはソケット下部の突出部を下方へ引き出すことによってランプソケットを所定位置に装着できるので、蛍光灯等器具の梱包状態を小形化し、包装費用、物流費用等を節減すると共に、建築現物でのランプソケット装着作業を迅速かつ容易に行うことができる。
【００２８】
また、端板の切欠部の縁部に係止片を設けたので、この係止片がランプソケットが器具本体長手方向へ移動するのを防止すると共に、ランプソケットへ蛍光ランプを装着する際などにランプソケットが後方へ倒れるのを防止し、ランプソケットの所定位置への装着がより確実かつ安全にできる。
さらに、端板の切欠部の縁部に設けた案内ガイドが、ランプソケットを引き出し方向に案内するので、ランプソケットの引き出し動作をよりスムーズに行うことができる。
【００２９】
また、各端板の対向内面に設けた案内ガイドが、ランプソケットを引き出し方向に案内すると共に、ランプソケット収納時においてランプソケットの幅方向への移動を規制するので、ランプソケットの引き出し動作をよりスムーズに行うことができる。
さらに、一対の端板の両端外方に設けた端部カバーが端板にランプソケットを装着した状態でランプソケットを含む端板の外側を覆うので、蛍光灯器具を端部から見た場合の意匠性に優れている。
【図面の簡単な説明】
【図１】本発明の一実施例の断面図である。
【図２】図１の要部である器具本体の斜視図である。
【図３】図１の要部である端板の斜視図である。
【図４】図１の要部であるランプソケットの斜視図である。
【図５】図４の正面図である。
【図６】図４の側面図である。
【図７】図１の梱包時の状態を説明する説明図である。
【図８】本発明の第２の実施例の要部の斜視図である。
【図９】本発明の第３の実施例の要部の斜視図である。
【図１０】本発明の第４の実施例の要部の斜視図である。
【図１１】本発明の第５の実施例の要部の斜視図である。
【図１２】図１１の断面図である。
【図１３】本発明の第６の実施例の要部の斜視図である。
【図１４】従来の蛍光灯器具の断面図である。
【図１５】従来の蛍光灯器具の要部の斜視図である。
【図１６】従来の蛍光灯器具のランプソケットの斜視図である。
【符号の説明】
２１  器具本体
２４  係止部
２５  端板
３０，３１  縁部
３２  ランプソケット
３３  フランジ
３５  係止手段
３７  反射板
４０  係合部
４３，４４  ストッパー
４５，４６  案内ガイド
４７，４８  ガイド部
５０  端部カバー
【図１】
0003704626.tif 000002
【図２】
0003704626.tif 000003
【図３】
0003704626.tif 000004
【図４】
0003704626.tif 000005
【図５】
0003704626.tif 000006
【図６】
0003704626.tif 000007
【図７】
0003704626.tif 000008
【図８】
0003704626.tif 000009
【図９】
0003704626.tif 000010
【図１０】
0003704626.tif 000011
【図１１】
0003704626.tif 000012
【図１２】
0003704626.tif 000013
【図１３】
0003704626.tif 000014
【図１４】
0003704626.tif 000015
【図１５】
0003704626.tif 000016
【図１６】
0003704626.tif 000017